(57)【要約】【課題】透明又は半透明な装飾樹脂板又は樹脂フレームに際立った装飾模様を擦れない様に付ける事。【解決手段】透明または半透明な樹脂板にマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、マスキングをした所の透明な面を残したまま文字・模様を際立つ様にして直接又は間接的にフレームに固着した。又は、透明又は半透明な樹脂フレームに直接上記装飾模様を施した。【選択図】図９
0003122448.tif 000002
【実用新案登録請求の範囲】
【請求項１】
眼鏡のフレームに固着される透明または半透明な樹脂板であって、フレームに固着される面にマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、マスキングをした所の透明な面を残したまま文字・模様を際立つ様にした事を特徴とする眼鏡フレーム用の装飾樹脂板。
【請求項２】
眼鏡のフレームに固着される透明または半透明な樹脂板であって、フレームに固着される面にマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、カバー材を取着し、マスキングをした所の透明な面を残したまま文字・模様を際立つ様にした事を特徴とする眼鏡フレーム用の装飾樹脂板。
【請求項３】
眼鏡フレームの貫通開口部に設けられる透明又は半透明な樹脂板であって、該樹脂板の裏面に凹部を設けそこへマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、カバー材を取着し、マスキングをした所の透明な面を残したまま文字・模様を際立つ様にした事を特徴とする眼鏡フレーム用の装飾樹脂板。
【請求項４】
透明又は半透明な樹脂製の眼鏡フレームであって、該フレーム裏面に凹部を形成しそこへマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、カバー材を取着し、マスキングをした所の透明な面を残したまま文字・模様を際立つ様にした事を特徴とする樹脂製装飾眼鏡フレーム。
【考案の詳細な説明】
【技術分野】
【０００１】  本考案は、眼鏡フレームに取り付けられる透明又は半透明な装飾樹脂板、又は、透明又は半透明な樹脂製装飾眼鏡フレームに関する。
【背景技術】
【０００２】  本考案に類する従来の技術として、透明又は半透明な樹脂製装飾眼鏡部品に関するものとしては、実公平０３−１７２９２号が知られている。この技術は、樹脂製の眼鏡部品裏面に模様を配したマスキングを施し、砂打ち（サンドブラスト）により前記模様部分を粗面に加工する技術であり、それまでに無い装飾を施したものであった。【０００３】
【特許文献１】実公平０３−１７２９２号
【考案の開示】
【考案が解決しようとする課題】
【０００４】  しかし、上記特許文献実公平０３−１７２９２号の２ページ３の１６行から１７行にも記載されているように装飾模様は浅くしか加工出来なかった。それ故、眼鏡を使用している期間が長くなってくると、装着している人の皮脂や整髪剤により汚れたり、摩擦で減ってきたりして、粗面化した部分が滑らかになってしまい目立たなくなってしまった。
【課題を解決するための手段】
【０００５】  そこで本考案に於いては、上記課題を解決する為に、先ず第一に、眼鏡のフレームに固着される透明または半透明な樹脂板であって、フレームに固着される面にマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、マスキングをした所の透明な面を残したまま文字・模様を際立つ様にした事を特徴とする眼鏡フレーム用の装飾樹脂板を提供し、更に、眼鏡のフレームに固着される透明または半透明な樹脂板であって、フレームに固着される面にマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、カバー材を取着し、マスキングをした所の透明な面を残したまま文字・模様を際立つ様にした事を特徴とする眼鏡フレーム用の装飾樹脂板の提供を図った。【０００６】  そして、眼鏡フレームの貫通開口部に設けられる透明又は半透明な樹脂板であって、該樹脂板の裏面に凹部を設けそこへマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、カバー材を取着し、マスキングをした所の透明な面を残したまま文字・模様を際立つ様にした事を特徴とする眼鏡フレーム用の装飾樹脂板の提供を図った。【０００７】  そして、最後に、透明又は半透明な樹脂製の眼鏡フレームであって、該フレーム裏面に凹部を形成しそこへマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、カバー材を取着し、マスキングをした所の透明な面を残したまま文字・模様を際立つ様にした事を特徴とする樹脂製装飾眼鏡フレームの提供を図った。
【考案の効果】
【０００８】  上記構造を採った事により、装飾された文字・模様が深く形成される事により、簡単に摩擦で減ることも無く、装着者の皮脂や整髪剤で汚れて艶消し部が消えることも無くなった。又、カバー材を当てることにより更に汚れや磨耗が無くなった。更にレーザーにより鏡像を彫る事により、細かい文字・模様が再現出来、眼鏡の細い部品に最適な際立った、浮き上がる様な装飾模様が提供出来る事になった。
【考案を実施するための最良の形態】
【０００９】  眼鏡のフレームに固着される透明または半透明な樹脂板であって、フレームに固着される面にマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、カバー材を取着し、マスキングをした所の透明な面を残したまま文字・模様を際立つ様にした事を特徴とする眼鏡フレーム用の装飾樹脂板。
【実施例１】
【００１０】  以下図により説明すると、図１は要部断面拡大図であり、透明又は半透明な装飾用樹脂板（これはフレームであっても良い）１０の裏面１１（装着者の顔面に向いている方向）に、模様を有さないマスキング２０を貼付し、レーザーＬにより文字・模様３０を刻設する。この場合図１０で示されるように、表面１２方向から見ると所望の文字・模様が得られるように鏡像で彫られる事が望ましく、又、レーザで刻設する事により所望の深さも得られる。【００１１】  図２は図１のレーザーによる文字・模様の刻設が終わり、其の侭マスキングをした状態で、全体にサンドブラスト（砂打ち）Ｓを行い、透明又は半透明な装飾用樹脂板の裏面１１の透明な部分を残したまま、前記文字・模様の刻設された溝３０、３０ａ，３０ｂを艶消し状態（粗面、曇りガラス状、又は梨地面）に形成する。こうすることにより図３の如く深く文字・模様が艶消し状態（粗面、曇りガラス状、又は梨地面）３１，３１ａ，３１ｂで形成され、際立ってはっきり見えるようになる。この場合は、図９のように眼鏡フレーム（これは樹脂フレームでも金属フレームでもどちらでも良い）の貫通していない凹部に直接嵌め込まれる場合有用である。【００１２】  図４は図３の状態にカバー４０を取着した断面拡大図であり、この様にして眼鏡フレーム凹部又は貫通開口部に嵌め込み固定すると艶消し状態に粗面加工した部分３１，３１ａ，３１ｂは半永久的にそのままの状態で残り、記した装飾やロゴ等も消えて見えなくなるということは無い。【００１３】  図５は眼鏡フレーム（この場合はテンプル）５０に貫通開口部５１を設けて透明又は半透明な七宝を裏面に凹部５２をつけて前記貫通開口部を板状に満たした状態の正面図で、図６はそのＡ−Ａの拡大断面図である。眼鏡フレームの貫通開口部に設けられる透明又は半透明な樹脂板１０ａであって、該樹脂板の裏面に凹部５２を設けそこへマスキングを施し、その上からレーザーにより所望の文字・模様の鏡像を刻設し、そして更にマスキングをしたそのままの状態でサンドブラストにより前記刻設された凹部に艶消し加工を施し、しかる後、マスキングを剥がし、カバー材４１を取着し、マスキングをした所の透明な面を残したまま文字・模様を際立つ様にしたこの様に装飾樹脂をフレームに取り付けた状態からでも加工は簡単に行え、しかも文字・模様ははっきり残す事が出来る。【００１４】  図７は透明又は半透明な樹脂を眼鏡フレーム（図はテンプル）６０に使用した場合の正面図と図８はそのＢ−Ｂの拡大断面図であり、この場合、上述したような別途作成した装飾樹脂板１０を貼り付けても良いが、ここでは、装飾を施したい場所に直接凹部５３を設け、そこへマスキングを施し、その上からレーザーにより所望の文字・模様の鏡像３０ｆ，３０ｇ，３０ｈを刻設し、そして更にマスキングをしたそのままの状態でサンドブラストにより前記刻設された凹部に艶消し加工を施し、しかる後、マスキングを剥がし、カバー材４２を取着し、マスキングをした所の透明な面を残したまま文字・模様を際立つ様にした状態のものを表している。この場合は芯金６１がある場所は避けた方が良い事は言うまでもない。【００１５】  図９は図３で示された装飾樹脂板１０を眼鏡フレーム７０の貫通されていない凹部７１に取り付ける状態の斜視図であり、取り付ける際には文字・模様に接着剤等がかからない様に取り付ける必要がある。又この場合図のようにカバー材４３を取り付けても良い。又、同様に図１０のようにカバー材４３ａを装飾樹脂板１０ｂの裏面に取り付ける場合も同様である。接着剤等が文字・模様凹部にかかると艶消し部分が消えてしまうので注意を要する。又、艶消し状態を残したまま文字・模様部分に染色することも差し支えない。
【図面の簡単な説明】
【００１６】
【図１】本考案の第一の実施例の要部拡大断面図
【図２】図１からの続きの本考案の第一の実施例の要部拡大断面図
【図３】図２からの続きの本考案の第一の実施例の要部拡大断面図
【図４】図３からの続きの本考案の第二の実施例の要部拡大断面図
【図５】本考案の第三の実施例の正面図
【図６】図５のＡ−Ａ断面図
【図７】本考案の第四の実施例の正面図
【図８】図７のＢ−Ｂ断面図
【図９】本考案の装飾樹脂板を取り付ける様子の斜視図
【図１０】本考案の装飾樹脂板の説明用斜視図
【符号の説明】
１０          装飾用樹脂板
１１          装飾用樹脂板の裏面
１２          装飾用樹脂板の表面
２０          マスキング材
３０          刻設された文字・模様凹部
４０          カバー材
５０          眼鏡フレーム（テンプル部）
５１          眼鏡フレーム貫通開口部
５２          七宝裏面凹部
６０          透明又は半透明な樹脂製眼鏡フレーム（テンプル）
７０          眼鏡フレーム
７１          眼鏡フレーム凹部
Ｌ            レーザー放射器
Ｓ            サンドブラスト加工
Ｋ            外側からの視線
【図１】
0003122448.tif 000003
【図２】
0003122448.tif 000004
【図３】
0003122448.tif 000005
【図４】
0003122448.tif 000006
【図５】
0003122448.tif 000007
【図６】
0003122448.tif 000008
【図７】
0003122448.tif 000009
【図８】
0003122448.tif 000010
【図９】
0003122448.tif 000011
【図１０】
0003122448.tif 000012